(57)【要約】【課題】  本発明は、高画質な画像データを適度な枚数で提供することが可能なＸ線ＣＴ装置を提供することを目的とする。【解決手段】  Ｘ線ビームを被検体に向けて曝射するＸ線ビーム発生源１１と、Ｘ線ビーム発生源１１から曝射されたＸ線ビームを検出信号として検出する検出器１３と、スライス方向の分解能を可変とするためのフィルタ関数をスライス方向再構成フィルタ関数として複数記憶するスライス方向再構成フィルタ関数記憶手段と、Ｘ線ビーム発生源１１からＸ線ビームを曝射させ、目的とするスライス上のデータを、検出器１３により検出された検出信号を基に、前記スライス方向再構成フィルタ関数記憶手段に記憶されているスライス方向再構成フィルタ関数を用いて取得する再構成処理部１９とを備えて構成される。【選択図】      図１
2008253802.tif 000002
【特許請求の範囲】
【請求項１】
Ｘ線ビームを被検体に向けて曝射するＸ線ビーム発生源と、
このＸ線ビーム発生源から曝射されたＸ線ビームを検出信号として検出する検出手段と
、
前記被検体が載置される寝台をこの被検体の体軸方向に移動させる寝台移動手段と、
前記Ｘ線ビーム発生源を回転させながらＸ線ビームを発生させると共に、前記寝台移動
手段により寝台を移動して、前記検出手段により検出された検出信号を基に、ヘリカルス
キャンによる投影データを収集するデータ収集手段と、
幅の異なるフィルタ関数をスライス方向再構成フィルタ関数として複数記憶するスライ
ス方向再構成フィルタ関数記憶手段と、
前記スライス方向再構成フィルタ関数記憶手段に記憶されているスライス方向再構成フ
ィルタ関数の中からスライス方向再構成フィルタ関数を選択する選択手段と、
前記データ収集手段により収集された投影データに対して、前記選択手段により選択さ
れたスライス方向再構成フィルタ関数を用いてスライス方向の補間処理を行って再構成処
理を行う処理手段と、
を有することを特徴とするＸ線ＣＴ装置。
【請求項２】
Ｘ線ビームを被検体に向けて曝射するＸ線ビーム発生源と、
このＸ線ビーム発生源から曝射されたＸ線ビームを検出信号として検出する検出手段と
、
前記被検体が載置される寝台をこの被検体の体軸方向に移動させる寝台移動手段と、
前記Ｘ線ビーム発生源を回転させながらＸ線ビームを発生させると共に、前記寝台移動
手段により寝台を移動して、前記検出手段により検出された検出信号を基に、ヘリカルス
キャンによる投影データを収集するデータ収集手段と、
幅の異なるフィルタ関数をスライス方向再構成フィルタ関数として複数記憶するスライ
ス方向再構成フィルタ関数記憶手段と、
前記スライス方向再構成フィルタ関数記憶手段に記憶されているスライス方向再構成フ
ィルタ関数の中からスライス方向再構成フィルタ関数を選択する選択手段と、
前記データ収集手段により収集された投影データに対して、前記選択手段により選択さ
れたスライス方向再構成フィルタ関数を用いてスライス方向のフィルタ処理を行って再構
成処理を行う処理手段と、
を有することを特徴とするＸ線ＣＴ装置。
【請求項３】
前記選択手段は、目的とする画像条件と検査条件に対応したスライス方向再構成フィルタ
関数を選択するものであることを特徴とする請求項１又は請求項２記載のＸ線ＣＴ装置。
【請求項４】
前記選択手段は、目的とする画像データのスライス厚に対応したスライス方向再構成フィ
ルタ関数を選択するものであることを特徴とする請求項１又は請求項２記載のＸ線ＣＴ装
置。
【発明の詳細な説明】
【技術分野】
【０００１】
本発明は、Ｘ線ＣＴ装置に関し、特に画像データのスライス方向の分解能を可変にでき
るＸ線ＣＴ装置に関するものである。
【背景技術】
【０００２】
近年、Ｘ線を曝射するＸ線ビーム発生源とＸ線を検出する検出器を回転させながら寝台
を被検体の体軸方向に移動させることにより被検体の断層像を得るヘリカルスキャンによ
るＸ線ＣＴ装置が種々提案されている。このようなヘリカルスキャンを行うＸ線ＣＴ装置
を図３５に示す。図３５に示すように、ヘリカルスキャンを行うＸ線ＣＴ装置１１０は、
Ｘ線ＣＴ装置１１０の動作を制御するシステム制御部１１１と、システム制御部１１１に
より出力された架台、寝台制御信号を基に回転架台１２５を回転させると共に、寝台移動
信号を寝台移動部１１５に対して出力する架台、寝台制御部１１３と、架台、寝台制御部
１１３により出力された寝台移動信号を基に寝台１１５ａを移動させる寝台移動部１１５
と、システム制御部１１１により出力されたＸ線ビーム発生制御信号を基に高電圧発生の
タイミングを制御するＸ線制御装置１１７と、Ｘ線ビームを曝射させるための高電圧をＸ
線制御部１１７からの制御信号に従って発生する高電圧発生装置１１９と、高電圧発生装
置１１９から供給された高電圧によってＸ線ビームを曝射するＸ線ビーム発生源１２１と
、Ｘ線ビームを検出する検出器１２３と、Ｘ線ビーム発生源１２１と検出器１２３とを回
転させる回転架台１２５と、検出器１２３により検出されたＸ線ビーム（実際には検出信
号）を、システム制御部１１により出力されるデータ収集制御信号に対応させて収集して
投影データとするデータ収集部１２７と、データ収集部１２７によって収集された投影デ
ータを基に、目的のスライス位置の投影データを補間する補間処理部１２９と、補間処理
部１２９により補間された投影データを基に、画像データを再構成する画像再構成部１３
１と、画像再構成部１３１により再構成された画像データをモニタ上に表示する表示部１
３３とを有している。
【０００３】
また、ヘリカルスキャンによるＸ線ＣＴ装置では、シングルスライス（ファンビーム）
ＣＴ、ダブルスライスＣＴ、マルチスライス（コーンビーム）ＣＴが開発されている。シ
ングルスライスＣＴは、図３６（ａ）に示すように、ファン状のＸ線ビームを曝射するＸ
線ビーム発生源と、扇状に複数チャンネル、例えば１０００チャンネルを１列に並べた検
出器とを有する。シングルスライスＣＴでは、このＸ線ビーム発生源と検出器を被検体の
周囲に回転させ、１回転で例えば１０００データ分を収集し（１回のデータ収集を１ビュ
ーと称する）、そのデータを基に画像データを再構成する。
【０００４】
また、ダブルスライスＣＴは、図３６（ｂ）に示すように、ファン状のＸ線ビームを曝
射するＸ線ビーム発生源と、Ｎチャンネルを円弧状に配列した検出器列をＺ軸方向に２つ
並べた（Ｎチャンネル×２列）２次元検出器とを有する。ダブルスライスＣＴでは、この
Ｘ線ビーム発生源と検出器を被検体の周囲に回転させ、１回転でＮ×２×１０００データ
分を収集し、そのデータを基に画像データを再構成する。
【０００５】
さらに、マルチスライスＣＴは、図３６（ｃ）に示すように、円錐状のＸ線ビームを曝
射するＸ線ビーム発生源と、Ｎチャンネルを円弧状に配列した検出器列をＺ軸方向にＭ列
並べた（Ｎチャンネル×Ｎ列）２次元検出器とを有する。マルチスライスＣＴでは、この
Ｘ線ビーム発生源と検出器を被検体の周囲に回転させ、１回転でＮ×Ｍ×１００データ分
を収集し、そのデータを基に画像データを再構成する。
【０００６】
シングルスライスＣＴ、ダブルスライスＣＴ、マルチスライスＣＴにおいて、図３７（
ａ）に示すように検出器１２３のチャンネル数がＮチャンネルのとき、Ｘ線ビーム発生源
１２１の焦点Ｆから検出器１２３のチャンネル方向の両端を結ぶ角度をファン角度とする
。また、ダブルスライスＣＴ、マルチスライスＣＴにおいて、図３７（ｂ）に示すように
検出器１２３のセグメント数がＭセグメントのとき、Ｘ線ビーム発生源１２１の焦点Ｆか
ら検出器１２３の列方向の両端を結ぶ角度をコーン角度とする。さらに、図３７（ａ）に
示すように、Ｘ線ビーム発生源１２１の焦点Ｆから回転中心までの距離をＦＣＤ（Ｆｏｃ
ｕｓ−Ｃｅｎｔｅｒ−Ｄｉｓｔａｎｃｅ  ）、有効視野直径をＦＯＶ（Ｆｉｅｌｄ  ｏｆ
Ｖｉｅｗ  ）、Ｘ線ビーム発生源１２１の焦点Ｆから検出器１２３までの距離をＦＤＤ
（Ｆｏｃｕｓ−Ｄｅｔｅｃｔｏｒ−Ｄｉｓｔａｎｃｅ  ）とする。
【０００７】
また、画像１枚を作成するデータを収集するのに必要なスキャン時間を実効スキャン時
間と称する。腹部を撮影した際の腸管の動き、あるいは患者自身の体動等により生じるア
ーチファクトを補正することをＰＭＣと称する。アーチファクト抑制のためにはこの実効
スキャン時間の短縮によって相対的に体動の影響を抑制することも効果がある。
【０００８】
また、図３８（ａ），（ｂ）に示すようにＸ線ビーム発生源１２１と検出器１２３を回
転中心を中心にして回転させながら寝台を被検体の体軸方向に移動させることにより被検
体の断層像を得るヘリカルスキャンによるＸ線ＣＴ装置が種々提案されている。
【０００９】
図３９は、縦軸に回転位相、横軸にＺ軸（体軸）方向を記すことによりヘリカルスキャ
ンを示したものである（以下これをスキャン図と称する）。
【００１０】
画像再構成のためには、スライス位置における３６０°の投影データが必要であるが、
図３９より明らかなように、シングルスライスＣＴでのヘリカルスキャンにおいては、ス
ライス位置におけるデータは１つしかない。従って、スライス方向に、データを補間して
目的とするスライス位置におけるデータとする。この補間方法には、３６０°補間法と、
対向ビーム補間法がある。
【００１１】
図４０（ａ）は、３６０°補間法で用いられる１組のＸ線ビームをスキャン図上に示し
たものである。図４０（ａ）に示すように、３６０°補間法では、目的のスライス位置に
近い同位相の２つのＸ線ビーム（元ビーム１と元ビーム２）を距離の逆比で線形補間する
方法である。３６０°補間法では図４０（ａ）に示すように、元ビーム１と元ビーム２の
スライス位置（回転中心におけるＸ線ビーム中心）の距離は、スライス厚ｔと等しくなっ
ている。
【００１２】
図４０（ｂ）は、対向ビーム補間法で用いられる元ビームとその対向ビームをスキャン
図上で示したものである。図４０（ｂ）に示すように、対向ビーム補間法では、元ビーム
と対向ビームで内外挿補間する。対向ビーム補間法では図４０（ｂ）に示すように、元ビ
ームと対向ビームのスライス位置の距離は、スライス厚ｔの１／２となっており、３６０
°補間法に比べ、２つのＸ線ビームの距離が近くなっている。
【００１３】
また、スライス方向におけるシステムのレスポンス（スライスプロファイル）は、正確
に矩形ではなく、やや崩れた形状（台形あるいは単峰形）になる。図４１に単峰形のスラ
イスプロファイルの例を示す。図４１に示すように、スライスプロファイルにおける半値
幅を実効スライス厚と称する。実効スライス厚、Ｓ／Ｎ比等は画質を左右する重要な因子
の１つである。
【００１４】
ヘリカルスキャンでの補間における実効スライス厚は、補間する２つのＸ線ビームの距
離が近いほど薄くなる。２つのＸ線ビームの距離が１回転（３６０°）分に相当するスラ
イス厚ｔである３６０°補間法ではスライス厚の４０％増（１．４ｔ）、２つのＸ線ビー
ムの距離が約半回転に相当するスライス厚ｔ／２である対向ビーム補間法ではスライス厚
の１０％増（１．１ｔ）である。  
従って、シングルスライスＣＴでの実効スライス厚は、スキャン時のビーム厚ｔと２種
類の補間方法との組み合わせで決定され、ほぼ固定的と言って良い。
【００１５】
また、例えば画像データを積み重ねてボクセルデータとし、幾つかの閾値処理をして３
次元画像データとして表示することが行われている。  
３次元処理では閾値処理をするので読影に供する画像データよりは画質は悪くても良い
代わりに、体軸方向の分解能を上げたいという要求がある。しかし、体軸方向の分解能は
前述のように１．４ｔあるいは１．１ｔに限定されてしまう。
【００１６】
また、腹部検査では１５０（ｍｍ）等、広範囲を撮影するが、トータルのスキャン時間
短縮のため、厚いＸ線ビームで収集すると、パーシャル効果が発生してしまう。パーシャ
ル効果とは、Ｘ線ビームの一部が対象を通過した場合等に発生する見掛け上のＣＴ値が小
さくなって陰影が淡くなってしまうこと、あるいは非線形な効果によるアーチファクトで
ある。
【００１７】
従って、薄いＸ線ビームで収集した方がパーシャル効果を抑制できる。しかし、シング
ルスライスＣＴで広範囲を収集する際には、短時間で薄いＸ線ビームを収集するのは不可
能なので厚いＸ線ビームで収集している。マルチスライスＣＴでは、薄いＸ線ビームを複
数同時に収集できるので上記を解決できるが、読影医に２（ｍｍ）厚の画像データを次々
に表示すると１５０（ｍｍ）の範囲全体では７５枚読影する必要があり、医師の負担が大
きすぎて実用的ではない。また、薄い画像データでは、ローコントラスト描出能およびＳ
／Ｎ比が低下してしまうため、ローコントラストの重要な腹部などでは５（ｍｍ）程度の
やや厚い画像データで読影したいこともある。
【００１８】
また、Ｘ線ＣＴ装置では、投影データ（生データ）を図４２に示すような再構成関数あ
るいは再構成フィルタと呼ばれるものとコンボリューション処理し、その結果を重みづけ
逆投影して画像データを再構成する。このとき、再構成された画像データの画質の主要因
である空間周波数とＳ／Ｎ比は、この再構成関数の形状に依存する。Ｓ／Ｎ比が良い方が
ローコントラスト描出能は高いが、空間周波数特性が良い方がハイコントラスト描出能は
高い。例えば、図４３に示す再構成関数ＦＣ１とＦＣ５を比較すると、Ｓ／Ｎ比が良く低
周波数領域を強調した再構成関数ＦＣ１の方がローコントラスト描出能は高いが、空間周
波数特性が良く高周波領域を強調した再構成関数ＦＣ５の方がハイコントラスト描出能は
高い。
【００１９】
臨床では、頭部、腹部、肺野等、撮影部位によってこの再構成関数を選択し、部位毎に
空間周波数とＳ／Ｎ比を選択している。即ち、体動の関係でスキャン時間が短い上に撮影
範囲が広いのでＸ線曝射量が少ない上に被検体によるＸ線吸収が大きく、ノイズの多い画
像データになりがちな腹部等ではローコントラスト重視の再構成関数（図４２に示す例で
は再構成関数ＦＣ１等）を用いて再構成する。また、頭部や耳等静止物体ではスキャンタ
イムを長くしてＸ線曝射量を多くできるのでＳ／Ｎ比は良いため、空間周波数特性を重視
した再構成関数（図４２に示す例では再構成関数ＦＣ４等）を用いる。
【発明の開示】
【発明が解決しようとする課題】
【００２０】
しかしながら、従来のシングルスライスＣＴでの実効スライス厚は、スキャン時のビー
ム厚ｔと３６０°補間法と対向ビーム補間法の２種類の補間方法との組み合わせで決定さ
れ、ほぼ固定的となってしまうという問題がある。
【００２１】
また従来のマルチスライスＣＴでは、薄いＸ線ビームを複数同時に収集できるので前記
の問題を解決できるが、読影医に２（ｍｍ）厚の画像データを次々に表示すると１５０（
ｍｍ）の範囲では７５枚読影する必要があり、医師の負担が大きすぎて実用的ではない。
また、薄い画像データでは、ローコントラスト描出能およびＳ／Ｎ比が低下してしまうた
め、ローコントラストの重要な腹部などでは５（ｍｍ）程度のやや厚い画像データで読影
したいこともある。さらに、造影剤を被検体内に注入した場合、造影初期には染まり方の
変化を見たいので、時間分解能を重視した画像データ、造影中期と後期には染まった様子
を観察したいのでＳ／Ｎ比の良い画像データでそれぞれ読影したいという要望もある。
【００２２】
本発明は、上記課題に鑑みてなされたもので、高画質な画像データを適度な枚数で提供
することが可能なＸ線ＣＴ装置を提供することを目的とする。
【課題を解決するための手段】
【００２３】
上記目的を達成するため請求項１記載の発明は、Ｘ線ビームを被検体に向けて曝射する
Ｘ線ビーム発生源とこのＸ線ビーム発生源から曝射されたＸ線ビームを検出信号として検
出する検出手段と、前記被検体が載置される寝台をこの被検体の体軸方向に移動させる寝
台移動手段と、前記Ｘ線ビーム発生源を回転させながらＸ線ビームを発生させると共に、
前記寝台移動手段により寝台を移動して、前記検出手段により検出された検出信号を基に
、ヘリカルスキャンによる投影データを収集するデータ収集手段と、幅の異なるフィルタ
関数をスライス方向再構成フィルタ関数として複数記憶するスライス方向再構成フィルタ
関数記憶手段と、前記スライス方向再構成フィルタ関数記憶手段に記憶されているスライ
ス方向再構成フィルタ関数の中からスライス方向再構成フィルタ関数を選択する選択手段
と、前記データ収集手段により収集された投影データに対して、前記選択手段により選択
されたスライス方向再構成フィルタ関数を用いてスライス方向の補間処理を行って再構成
処理を行う処理手段と、を有することを特徴とする
【００２４】
請求項１記載のＸ線ＣＴ装置にあっては、Ｘ線ビーム発生源からＸ線ビームを曝射させ
、目的とするスライス上のデータを、検出手段により検出された検出信号を基に、スライ
ス方向再構成フィルタ関数記憶手段に記憶されているスライス方向再構成フィルタ関数を
用いて取得するようにしている。これにより、高画質な画像データを適度な枚数で提供す
ることが可能となる。
【００２５】
また、請求項２記載の発明は、Ｘ線ビームを被検体に向けて曝射するＸ線ビーム発生源
と、このＸ線ビーム発生源から曝射されたＸ線ビームを検出信号として検出する検出手段
と、前記被検体が載置される寝台をこの被検体の体軸方向に移動させる寝台移動手段と、
前記Ｘ線ビーム発生源を回転させながらＸ線ビームを発生させると共に、前記寝台移動手
段により寝台を移動して、前記検出手段により検出された検出信号を基に、ヘリカルスキ
ャンによる投影データを収集するデータ収集手段と、幅の異なるフィルタ関数をスライス
方向再構成フィルタ関数として複数記憶するスライス方向再構成フィルタ関数記憶手段と
、前記スライス方向再構成フィルタ関数記憶手段に記憶されているスライス方向再構成フ
ィルタ関数の中からスライス方向再構成フィルタ関数を選択する選択手段と、前記データ
収集手段により収集された投影データに対して、前記選択手段により選択されたスライス
方向再構成フィルタ関数を用いてスライス方向のフィルタ処理を行って再構成処理を行う
処理手段と、を有することを特徴とする。
【００２６】
請求項２記載のＸ線ＣＴ装置にあっては、Ｘ線ビーム発生源からＸ線ビームを曝射させ
、目的とするスライス上のデータを、検出手段により検出された検出信号を基に、スライ
ス方向再構成フィルタ関数記憶手段に記憶されているスライス方向再構成フィルタ関数を
用いて取得するようにしている。これにより、高画質な画像データを適度な枚数で提供す
ることが可能となる。
【００２７】
また、請求項３記載の発明は、Ｘ線ビームを被検体に向けて曝射するＸ線ビーム発生源
と、このＸ線ビーム発生源から曝射されたＸ線ビームを検出信号として検出する検出手段
と、スライス方向の分解能を可変とするため、形状の異なるフィルタ関数をスライス方向
再構成フィルタ関数として複数記憶するスライス方向再構成フィルタ関数記憶手段と、前
記被検体が載置される寝台をこの被検体の体軸方向に移動させる寝台移動手段と、この寝
台移動手段により寝台を被検体の対軸方向に断続的に移動させ、前記Ｘ線ビーム発生源を
回転させながらＸ線ビームを発生させて前記検出手段により所定のスライス位置の検出信
号を検出させ、目的とするスライス上のデータを、前記検出手段により検出された検出信
号を基に、前記スライス方向再構成フィルタ関数記憶手段に記憶されているスライス方向
再構成フィルタ関数を用いて取得する処理手段とを有することを要旨とする。
【発明の効果】
【００２８】
本発明によれば、Ｘ線ビーム発生源からＸ線ビームを曝射させ、目的とするスライス上
のデータを、検出手段により検出された検出信号を基に、スライス方向の分解能を可変と
するスライス方向再構成フィルタ関数を用いて取得するようにしているので、高画質な画
像データを適度な枚数で提供することが可能となる。
【発明を実施するための最良の形態】
【００２９】
以下、本発明に係る実施の形態を図面を参照して説明する。図１は本発明に係るＸ線Ｃ
Ｔ装置の第１実施形態を示したブロック図である。
【００３０】
図１に示すように、Ｘ線ＣＴ装置１は、システム制御部３と、架台、寝台制御部５と、
Ｘ線制御器７と、高電圧発生器９と、Ｘ線ビーム発生源１１と、検出手段としての検出器
１３と、切換え部１５と、データ収集部１７と、処理手段としての再構成処理部１９と、
表示装置２１とを有している。
【００３１】
システム制御部３は、図示しない入力装置を用いて入力されるスライス厚、回転速度等
を架台、寝台制御信号として架台、寝台制御部５に対して出力する。また、システム制御
部３は、回転架台５ａの回転、コリメータ５ｂの調整、寝台５ｃの送り速度を制御するた
めの架台、寝台制御信号を架台、寝台制御部５に対して出力すると共に、Ｘ線ビーム発生
を制御するためのＸ線ビーム発生制御信号をＸ線制御器７に対して出力する。さらに、シ
ステム制御部３は、投影データを収集する検出器列を切換えるための検出器列切換え信号
を切換え部１５に対して出力すると共に、データ収集のタイミングを示すデータ収集制御
信号をデータ収集部１７に対して出力する。
【００３２】
架台、寝台制御部５は、システム制御部３により出力された架台、寝台制御信号を基に
、回転架台５ａを回転させ、また、コリメータ５ｂを調整させ、さらに、寝台５ｃの送り
速度を調整させる。
【００３３】
Ｘ線制御器７は、システム制御部３により出力されたＸ線ビーム発生制御信号を基に高
電圧発生のタイミングを制御する。
【００３４】
高電圧発生器９は、Ｘ線ビームを曝射させるための高電圧をＸ線制御器７からの制御信
号に従って発生する。
【００３５】
Ｘ線ビーム発生源１１は、高電圧発生器９から供給された高電圧によってＸ線ビームを
曝射する。尚、ここでは、検出器１３の第３セグメントから第１０セグメントまでの８列
にＸ線ビームを曝射する。
【００３６】
検出器１３は、Ｘ線ビーム発生源１１から曝射され、被検体を透過したＸ線ビームを検
出する。検出器１３は、図２に示すように、第１セグメントから第１２セグメントまでの
１２列の検出器列を有する。第１セグメントと第１２セグメントの回転中心でのＺ軸方向
の高さ（厚さ）が８（ｍｍ）、第２セグメントと第１１セグメントの回転中心でのＺ軸方
向の高さは４（ｍｍ）、第３セグメントと第１０セグメントの回転中心でのＺ軸方向の高
さが２（ｍｍ）、第４セグメントと第９セグメントの回転中心でのＺ軸方向の高さが１（
ｍｍ）、第５セグメントと第６セグメントと第７セグメントと第８セグメントの回転中心
でのＺ軸方向の高さが０．５（ｍｍ）のものを用いている。
【００３７】
切換え部１５は、同時にデータを収集する検出器１３の検出器列を切換える。ここでは
、検出器の第３セグメントを第１データ、第４〜第６セグメントを第２データ、第７〜第
９セグメントを第３データ、第１０セグメントを第４データとして同時に収集するように
切換える。
【００３８】
データ収集部１７は、検出器１３により検出された検出信号をディジタル信号に変換し
て投影データとし、システム制御部１１により出力されるデータ収集制御信号に対応させ
て収集する。また、データ収集部１７は、収集した投影データに対し、Ｘ線強度補正、検
出器感度補正等種々の補正を行う。
【００３９】
再構成処理部１９は、図３に示すように、スライス方向再構成フィルタ関数処理部２３
と、スライス方向再構成フィルタ関数記憶手段としてのスライス方向再構成フィルタ関数
記憶部２５と、再構成関数処理部２７と、再構成関数記憶部２９と、画像再構成部３１と
、制御部３３とを有し、データ収集部１７から出力された投影データ基に、目的のスライ
ス位置の投影データを対向ビームを用いたフィルタ補間により補間し、この補間された投
影データを基に、画像データを再構成する。
【００４０】
スライス方向再構成フィルタ関数処理部２３は、データ収集部１７から出力される４列
複数回転のヘリカルスキャンの投影データを基に、設定されているスライス方向再構成フ
ィルタ関数を用いてスライス方向にフィルタ処理を行い１列１回転分の投影データを補間
する。
【００４１】
スライス方向再構成フィルタ関数記憶部２５は、図４に示すような特性を有するスライ
ス方向再構成フィルタ関数を記憶する。例えば図５に示すようにフィルタ無しと同一で実
効スライス厚が最も薄いスライス方向再構成フィルタ関数ＦＬＴ００、図６に示すように
フィルタ幅が小で均等の重みを有し実効スライス厚が薄くハイコントラスト分解能が高い
がややＳ／Ｎ比が悪いスライス方向再構成フィルタ関数ＦＬＴ０１、図７に示すようにフ
ィルタ幅が小で中央部に大きい重みを有し実効スライス厚がスライス方向再構成フィルタ
関数ＦＬＴ０１より薄いスライス方向再構成フィルタ関数ＦＬＴ０２、図８に示すように
フィルタ幅が小で端付近まで大きい重みを有し実効スライス厚がスライス方向再構成フィ
ルタ関数ＦＬＴ０１より厚いスライス方向再構成フィルタ関数ＦＬＴ０３、図９に示すよ
うにフィルタ幅が中で均等の重みを有し標準的な実効スライス厚と画質となるスライス方
向再構成フィルタ関数ＦＬＴ１１、図１０に示すようにフィルタ幅が中で中央部に大きな
重みを有し実効スライス厚がスライス方向再構成フィルタ関数ＦＬＴ１１より薄いスライ
ス方向再構成フィルタ関数ＦＬＴ１２、図１１に示すようにフィルタ幅が中で端付近まで
大きい重みを有し実効スライス厚がスライス方向再構成フィルタ関数ＦＬＴ１１より厚い
スライス方向再構成フィルタ関数ＦＬＴ１３、図１２に示すようにフィルタ幅が大で均等
の重みを有し実効スライス厚がやや厚くＳ／Ｎ比が良くローコントラスト分解能が高いス
ライス方向再構成フィルタ関数ＦＬＴ２１、図１３に示すようにフィルタ幅が大で中央部
に大きい重みを有し実効スライス厚がスライス方向再構成フィルタ関数ＦＬＴ２１より薄
いスライス方向再構成フィルタ関数ＦＬＴ２２、図１４に示すようにフィルタ幅が大で端
付近まで大きい重みを有し実効スライス厚がスライス方向再構成フィルタ関数ＦＬＴ２１
より厚いスライス方向再構成フィルタ関数ＦＬＴ２３、図１５に示すようにフィルタ幅が
極大で均等の重みを有し実効スライス厚がかなり厚くＳ／Ｎ比がかなり良くローコントラ
スト分解能が高いスライス方向再構成フィルタ関数ＦＬＴ３１、図１６に示すようにフィ
ルタ幅が極大で中央部に大きい重みを有し実効スライス厚がスライス方向再構成フィルタ
関数ＦＬＴ３１より薄いスライス方向再構成フィルタ関数ＦＬＴ３２、図１７に示すよう
にフィルタ幅が極大で端付近まで大きい重みを有し実効スライス厚がスライス方向再構成
フィルタ関数ＦＬＴ３１より厚いスライス方向再構成フィルタ関数ＦＬＴ３３を記憶する
。
【００４２】
なお、スライス方向再構成フィルタ関数は、前述したスライス方向再構成フィルタ関数
に限らず、いずれの形状のものでも良い。例えば図１８に示すように端付近にマイナスの
重みを有するハイパスフィルタとしての特性を有するスライス方向再構成フィルタ関数Ｆ
ＬＴ４１等でも良い。
【００４３】
再構成関数処理部２７は、スライス方向再構成フィルタ関数処理部２３により補間され
た投影データと、再構成関数記憶部２９に記憶されている再構成関数の内、入力装置によ
り設定された再構成関数をコンボリューション処理する。
【００４４】
再構成関数記憶部２９は、前述した従来のＸ線ＣＴ装置と同様、図４２に示すような再
構成関数を記憶する。例えば図４２に示すように、低周波領域を強調し、ローコントラス
ト描出能に優れる再構成関数ＦＣ１、再構成関数ＦＣ１より低周波数領域を抑えている再
構成関数ＦＣ２、再構成関数ＦＣ１より低周波数領域をさらに抑えている再構成関数ＦＣ
３、低周波数領域と高周波数領域を強調し、骨の辺縁、ローコントラスト描出能に優れる
再構成関数ＦＣ４、再構成関数ＦＣ４より低周波数領域をやや抑えている再構成関数ＦＣ
５、再構成関数ＦＣ４より高周波数領域を強調している再構成関数ＦＣ６、高周波数領域
を強調し、空間分解能が高く、血管の辺縁が明瞭となる再構成関数ＦＣ７、再構成関数Ｆ
Ｃ７より高周波数領域をやや抑えている再構成関数ＦＣ８を記憶する。
【００４５】
画像再構成部３１は、センタリング処理部３１ａと、逆投影部３１ｂとを有し、センタ
リング処理部３１ａにより、予め決められたセンタリング軸に一度逆投影し、その後、逆
投影部３１ｂにより、画像データを構成する各ピクセルに逆投影し、画像データを再構成
する。
【００４６】
制御部３３は、スライス方向再構成フィルタ関数処理部２３によるフィルタ処理の動作
タイミングを制御し、また、再構成関数処理部２７によるコンボリューション処理の動作
タイミングを制御する。さらに、制御部３３は、画像再構成部３１による逆投影処理の動
作タイミングを制御する。
【００４７】
表示装置２１は、再構成処理部１９の画像再構成部３１により再構成された画像データ
をモニタ上に表示する。また、表示装置２１は、図示しない画像メモリを備え、前記再構
成された画像データを記録する。
【００４８】
次に、第１実施形態のＸ線ＣＴ装置１の動作を図１９を参照して説明する。また、第１
実施形態のＸ線ＣＴ装置１では、以下に示すような条件でヘリカルスキャンを行うものと
する。
【００４９】
データ同時収集検出器列数    Ｎｓｅｇ  ＝４
検出器チャンネル数          Ｎｃｈ＝１０００
各列のＺ軸方向の高さ（厚み）Ｄｓｅｇ  ＝８，４，２，１，０．５，０．５，０．５，
０．５，１，２，４，８  （ｍｍ）
検出器のトータルの厚み      ３２（ｍｍ）
焦点−回転中心間距離    ＦＣＤ＝６００（ｍｍ）（Ｆｏｃｕｓ−Ｃｅｎｔｅｒ−Ｄｉｓ
ｔａｎｃｅ  ）
焦点−検出器間距離      ＦＤＤ＝１２００（ｍｍ）（Ｆｏｃｕｓ−Ｄｅｔｅｃｔｏｒ−
Ｄｉｓｔａｎｃｅ）
有効視野直径            ＦＯＶ＝５００（ｍｍ）（Ｆｉｅｌｄ  ｏｆ  Ｖｉｅｗ  ）
有効視野角（ファン角）  φ＝５０°
総検出器列数            Ｎｓｅｇ  ＝１２
まず、第１の検査として腹部撮影を行う場合を説明する。ここで目的とする画像データ
は、パーシャル効果の無い実効スライス厚５（ｍｍ）の画像データ相当の高画質なもので
ある。
【００５０】
まず操作者は被検体を寝台５ｃ上に載置し、図示しない入力装置を用いて患者ＩＤ、氏
名等の患者情報を入力した後、スキャノ像を撮影して検査準備を行う（ステップＳ１）。
このスキャノ像を基に体軸方向の撮影範囲（１５０（ｍｍ））を決定し、ＦＯＶサイズを
Ｌサイズ（図３７（ａ）にＦＯＶとして示すように焦点Ｆから検出器全体にＸ線ビームを
曝射した場合の最大のＦＯＶサイズをＬＬとし、以下Ｌ，Ｍ，Ｓ，ＳＳと順にサイズが小
さくなる）、管電流２００（ｍＡ）、管電圧１２０（ｋＶ）、再構成関数を腹部用のＦＣ
３と入力する。なお、ここまでの動作は従来のＸ線ＣＴ装置の動作と同様である。
【００５１】
さらに、操作者は図示しない入力装置を用いてシステム制御部３に対し、投影データの
収集検出器列数を収集モードとして４列収集、ビーム厚を２（ｍｍ）、寝台の送り速度を
撮影モードとして４列／回転＝８ｍｍ／ｒｅｖ  （高画質モード）、また、最終的な実効
スライス厚を５（ｍｍ）とするためにスライス方向再構成フィルタ関数をＦＬＴ２１とそ
れぞれ入力する（ステップＳ３）。
【００５２】
この状態で操作者により撮影開始命令が図示しない入力装置から入力されると、システ
ム制御部３は、回転架台５ａの回転、コリメータ５ｂの調整、寝台５ｃの送り速度を制御
するための架台、寝台制御信号を架台、寝台制御部５に対して出力すると共に、Ｘ線ビー
ム発生を制御するためのＸ線ビーム発生制御信号をＸ線制御器７に対して出力する。この
架台、寝台制御信号が出力されると架台、寝台制御部５は、架台、寝台制御信号を基に、
回転架台５ａを回転させ、また、コリメータ５ｂを調整させ、さらに、寝台５ｃの送り速
度を調整させる。また、前記Ｘ線ビーム発生制御信号が出力されるとＸ線制御器７は、高
圧発生器９から高電圧を発生させる。また、システム制御部３は、投影データを収集する
検出器列を切換えるための検出器列切換え信号を切換え部１５に対して出力すると共に、
データ収集のタイミングを示すデータ収集制御信号をデータ収集部１７に対して出力する
。この検出器列切換え信号が出力されると、切換え部１５は、第３列〜第１０列の８列か
ら検出信号を収集可能なように切換える。
【００５３】
これらにより、Ｘ線ビーム発生源１１からＸ線ビームが曝射されると共に寝台５ｃが移
動されてヘリカルスキャンによる撮影が開始される。また、前記データ収集制御信号が出
力されるとデータ収集部１７は、検出器１３により検出された検出信号をディジタル信号
に変換し、投影データとして所定のタイミングで収集する。
【００５４】
このとき、指定された条件で第３列から第１０列までの８列にＸ線ビームがＸ線ビーム
発生源１１により曝射され、データ収集部１７によりデータが収集される。即ち、図２０
（ｄ）に斜線で示す列だけデータ収集する。尚、図２０（ａ）は検出器１３の検出器列を
示し、図２０（ｂ）は全検出器列からデータ収集する場合を示し、図２０（ｃ）は第２列
〜第１１列の１０列からデータ収集する場合を示し、図２０（ｄ）は第３列〜第１０列の
８列からデータ収集する場合を示し、図２０（ｅ）は第４列〜第９列の６列からデータ収
集する場合を示し、図２０（ｆ）は第５列〜第８列の４列からデータ収集する場合を示し
、図２０（ｇ）は第６列〜第７列の２列からデータ収集する場合を示している。
【００５５】
ここでは、不均等な８列分のデータが収集されるので、データ収集部１７は、第４，５
，６列の検出信号をデータ処理（加算あるいは平均等）して第２データとし、第７，８，
９列の検出信号をデータ処理（加算あるいは平均等）して第３データとする。即ち、
第３列        …第１データ
第４，５，６列…第２データ
第７，８，９列…第３データ
第１０列      …第４データ
とし、第１，２，３，４データを４列同時に収集する。また、データ収集部１７は収集し
た投影データに対し、Ｘ線強度補正、検出器感度補正等種々の補正を行う（ステップＳ５
）。
【００５６】
データ収集部１７により投影データが収集され、種々の補正が行われると、再構成処理
部１９の制御部３３は、この投影データを一時記憶する。また、スライス方向再構成処理
部２３は、この４列複数回転のヘリカルスキャンの投影データを基に、設定されているス
ライス方向再構成フィルタ関数ＦＬＴ２１を用いてスライス方向にフィルタ処理を行い１
列１回転分の投影データを補間する（ステップＳ７）。尚、スライス方向再構成フィルタ
関数ＦＬＴ２１では、目的とするスライス位置から比較的離れた投影データも用いて補間
するので、補間された投影データは比較的厚みを持ったものとなる。
【００５７】
スライス方向再構成処理部２３により投影データが補間されると、再構成関数処理部２
７は、この補間された投影データと再構成関数ＦＣ３をコンボリューション処理する。そ
して、センタリング処理部３１ａにより、予め決められたセンタリング軸に一度逆投影し
、その後、逆投影部３１ｂにより、画像データを構成する各ピクセルに逆投影し、画像デ
ータを再構成する（ステップＳ９）。
【００５８】
このとき、厚みを持った投影データから再構成するので、厚みを持った画像データが再
構成され、目的とした実効スライス厚５（ｍｍ）の画像データが得られる。しかし、元々
は２（ｍｍ）のビーム厚で収集された投影データを処理して補間データを作成したもので
あるため、この画像データのパーシャル効果は実効スライス厚２（ｍｍ）の画像データ相
当のかなり良いものである。また、広い範囲で収集したフォトン数から成る画像データで
あるので、Ｓ／Ｎ比は、実効スライス厚５（ｍｍ）の画像データ相当である。即ち、前記
再構成された投影データは、実効スライス厚２（ｍｍ）の画像データ相当のパーシャル抑
制効果と、実効スライス厚５（ｍｍ）の画像データ相当の高Ｓ／Ｎ比、ローコントラスト
描出能を持っている。
【００５９】
再構成処理部１９により再構成された画像データは、順次表示装置２１に供給され、表
示装置２１のモニタ上に表示される（ステップＳ１１）。
【００６０】
医師は、表示装置２１のモニタ上で読影を行う。もしくは、表示装置２１に記録してお
き、後で読影するか、読影用のワークステーションにデータ転送後に、その読影用のワー
クステーションで読影を行うか、一旦フィルムに画像データを落とした後、フィルム上で
読影するようにしても良い。これらの内、モニタ上で読影する場合は、読影する画像枚数
が１５０（ｍｍ）範囲で３０枚になり、読影時間を短縮させることができる。また、これ
らの内、フィルム上で読影する場合は、フィルム２枚で収まり、同じく読影時間を短縮さ
せることができる。
【００６１】
次いで、医師が表示装置上もしくは読影用のワークステーション上で読影しているとき
、ある画像データで腸管の動きによるアーチファクトが強いことを認めた場合、ＰＭＣ画
像で読影を行う準備をする。即ち、目的の画像データを表示させて、ＰＭＣ指示をする。
ここで、ＰＭＣ画像とは、実行スキャン時間を減少させることでアーチファクトを抑制し
た画像のことである。
【００６２】
前記ＰＭＣ指示を行う場合、操作者は図示しない入力装置を用い、設定してあるスライ
ス方向再構成フィルタ関数ＦＬＴ２１をスライス方向再構成フィルタ関数ＦＬＴ０１に変
更して再構成リトライを指示する。
【００６３】
スライス方向再構成フィルタ関数が変更されて再構成リトライの指示がされると、シス
テム制御部３は、再構成処理部１９に対してスライス方向再構成フィルタ関数をＦＬＴ０
１に変更して再構成を再び行うことを指示する（ステップＳ１３ＹＥＳ  ）。これにより
、再構成処理部１９はスライス方向再構成フィルタ関数をＦＬＴ０１に変更し（ステップ
Ｓ１５）、制御部３３に記憶されている投影データを読み出し、変更されたスライス方向
再構成フィルタ関数ＦＬＴ０１を用いて投影データを補間して再度画像データ再構成する
（ステップＳ７，Ｓ９）。そして、この再構成された画像データは、順次表示装置２１の
モニタ上もしくは転送されて読影用のワークステーションのモニタ上に表示される（ステ
ップＳ１１）。  
こうして、ヘリカルスキャンによって腹部撮影およびその読影が行われる。
【００６４】
次に、第２の検査として頭部撮影を行う場合を図２１を参照して説明する。ここで目的
とする画像データは、頭頂部は骨等の構造が単純なため実効スライス厚１０（ｍｍ）の画
像データ相当、その他頭蓋底等は実効スライス厚５（ｍｍ）の画像データ相当である。
【００６５】
まず操作者は被検体を寝台５ｃ上に載置し、図示しない入力装置を用いて患者ＩＤ、氏
名等の患者情報を入力した後、スキャノ像を撮影して検査準備を行う（ステップＳ２１）
。このスキャノ像を基に体軸方向の撮影範囲を決定し、ＦＯＶサイズをＳサイズ、管電流
３００（ｍＡ）、管電圧１２０（ｋＶ）、再構成関数をＦＣ４と入力する。なお、ここま
での動作は従来のＸ線ＣＴ装置の動作と同様である。
【００６６】
さらに、操作者は図示しない入力装置を用いてシステム制御部３に対し、収集モードを
４列収集、ビーム厚を２（ｍｍ）、撮影モードを４．５列／回転＝９ｍｍ／ｒｅｖ  （高
画質モード２）とそれぞれ入力する。また、最終的な画質および実効スライス厚を頭頂部
ではＳ／Ｎ比と枚数削減重視の１０（ｍｍ）、頭蓋底では実効スライス厚中程度の５（ｍ
ｍ）とするためにスライス方向再構成フィルタ関数を、頭頂部ではＦＬＴ３１、頭蓋底で
はＦＬＴ２１とそれぞれ入力する（ステップＳ２３）。
【００６７】
この状態で操作者により撮影開始命令が図示しない入力装置から入力されると、システ
ム制御部３は、回転架台５ａの回転、コリメータ５ｂの調整、寝台５ｃの送り速度を制御
するための架台、寝台制御信号を架台、寝台制御部５に対して出力すると共に、Ｘ線ビー
ム発生を制御するためのＸ線ビーム発生制御信号を線制御器７に対して出力する。この架
台、寝台制御信号が出力されると架台、寝台制御部５は、架台、寝台制御信号を基に、回
転架台５ａを回転させ、また、コリメータ５ｂを調整させ、さらに、寝台５ｃの送り速度
を調整させる。また、前記Ｘ線ビーム発生制御信号が出力されるとＸ線制御器７は、高圧
発生器９から高電圧を発生させる。また、システム制御部３は、投影データを収集する検
出器列を切換えるための検出器列切換え信号を切換え部１５に対して出力すると共に、デ
ータ収集のタイミングを示すデータ収集制御信号をデータ収集部１７に対して出力する。
この検出器列切換え信号が出力されると、切換え部１５は、第３列〜第１０列の８列から
検出信号を収集可能なように切換える。
【００６８】
これらにより、Ｘ線ビーム発生源１１からＸ線ビームが曝射されると共に寝台５ｃが移
動されてヘリカルスキャンによる撮影が開始される。これにより、Ｘ線ビーム発生源１１
からＸ線ビームが曝射されると共に寝台５ｃが移動されてヘリカルスキャンによる撮影が
開始される。また、前記データ収集制御信号が出力されるとデータ収集部１７は、検出器
１３により検出された検出信号をディジタル信号に変換し、投影データとして所定のタイ
ミングで収集する。
【００６９】
このとき、指定された条件で第３列から第１０列までの８列にＸ線ビームがＸ線ビーム
発生源１１により曝射され、データ収集部１７によりデータが収集される。
【００７０】
ここでは、不均等な８列分のデータが収集されるので、データ収集部１７は、第３列の
検出信号を第１データ、第４，５，６列の検出信号をデータ処理（加算あるいは平均等）
して第２データとし、第７，８，９列の検出信号をデータ処理（加算あるいは平均等）し
て第３データ、第１０列の検出信号を第４データとして４列同時に収集する。また、デー
タ収集部１７は収集した投影データに対し、Ｘ線強度補正、検出器感度補正等種々の補正
を行う（ステップＳ２５）。
【００７１】
データ収集部１７により投影データが収集され、種々の補正が行われると、再構成処理
部１９の制御部３３はこの投影データを一時記憶する。また、スライス方向再構成処理部
２３は、この４列複数回転のヘリカルスキャンの投影データを基に、設定されているスラ
イス方向再構成フィルタ関数を用いてスライス方向にフィルタ処理を行い１列１回転分の
投影データを補間する。
【００７２】
このとき、検査前半の頭蓋底領域ではスライス方向再構成フィルタ関数としてＦＬＴ２
１が指定されているので、ＦＬＴ２１を用いて投影データを補間する。このスライス方向
再構成フィルタ関数ＦＬＴ２１を用いた補間では、比較的厚みを持った投影データとなる
。
【００７３】
また、検査後半の頭頂部領域ではスライス方向再構成フィルタ関数として、ＦＬＴ３１
が指定されているので、ＦＬＴ３１を用いて投影データを補間する（ステップＳ２７ＮＯ
，Ｓ３１）。このスライス方向再構成フィルタ関数ＦＬＴ３１を用いた補間では、スライ
ス方向再構成フィルタ関数ＦＬＴ２１を用いた補間より厚みを持った投影データとなる。
【００７４】
スライス方向再構成処理部２３により投影データが補間されると、再構成関数処理部２
７は、この補間された投影データと再構成関数ＦＣ４をコンボリューション処理する。そ
して、センタリング処理部３１ａにより、予め決められたセンタリング軸に一度逆投影し
、その後、逆投影部３１ｂにより、画像データを構成する各ピクセルに逆投影し、画像デ
ータを再構成する（ステップＳ３３）。
【００７５】
この再構成された画像データの内、頭蓋底領域の画像データは、スライス方向再構成フ
ィルタ関数ＦＬＴ２１を用いて補間された投影データから再構成されるため、実効スライ
ス厚５（ｍｍ）の画像データ相当で、Ｓ／Ｎ比も良く、さらにパーシャル効果も抑制され
た高画質なものとなる。また、前記再構成された画像データの内、頭頂部領域の画像デー
タは、スライス方向再構成フィルタ関数ＦＬＴ３１を用いて補間された投影データから再
構成されるため、実効スライス厚１０（ｍｍ）の画像データ相当で、Ｓ／Ｎ比がさらに良
くローコントラスト描出能に優れた画質となる。
【００７６】
再構成処理部１９により再構成された画像データは、順次表示装置２１に供給され、表
示装置２１のモニタ上に表示される（ステップＳ３５）。
【００７７】
ここで表示されている画像データをモニタ上で医師が読影していたとき、頭頂部付近に
異常な陰影を認めた場合、医師は、頭頂部領域だけ、再度薄い画像データで詳細に読影す
る準備を行う。即ち、スキャノ像を表示して領域を設定し（ステップＳ３７ＹＥＳ  ，Ｓ
３９）、スライス方向再構成フィルタ関数をＦＬＴ３１からＦＬＴ２１に換えて再構成リ
トライを指示する（ステップＳ２７ＹＥＳ  ，Ｓ２９）。
【００７８】
スライス方向再構成フィルタ関数が変更されて再構成リトライの指示がされると、再構
成処理部１９は変更されたスライス方向再構成フィルタ関数ＦＬＴ０１を用いて投影デー
タを補間して再度画像データ再構成する（ステップＳ３１，Ｓ３３）。そして、この再構
成された画像データは、順次表示装置２１のモニタ上に表示される（ステップＳ３５）。
このモニタ上に表示される画像データは実効スライス厚５（ｍｍ）の画像データ相当に薄
くなった画像データである。これにより医師は詳細な読影を行うことができる。  こうし
て、ヘリカルスキャンによって頭部撮影およびその読影が行われる。
【００７９】
次に、第３の検査として肺野撮影を行う場合を図１９を参照して説明する。肺野を撮影
する場合は、例えば呼吸困難な被検体である場合があり、息止め時間を最短にすることが
望まれる。即ち、撮影モードとして撮影時間が最短となる高速モードで撮影する。このと
き、目的とする画像データは、実効スライス厚５（ｍｍ）の画像データ相当、ハイコント
ラスト描出能に優れた画質である。
【００８０】
まず操作者は被検体を寝台５ｃ上に載置し、図示しない入力装置を用いて患者ＩＤ、氏
名等の患者情報を入力した後、スキャノ像を撮影して検査準備を行う（ステップＳ１）。
このスキャノ像を基に体軸方向の撮影範囲を決定し、ＦＯＶサイズをＭサイズ、管電流２
００（ｍＡ）、管電圧１２０（ｋＶ）、再構成関数をＦＣ７と入力する。なお、ここまで
の動作は従来のＸ線ＣＴ装置の動作と同様である。
【００８１】
さらに、操作者は図示しない入力装置を用いてシステム制御部３に対し、収集モードを
４列収集、ビーム厚を２（ｍｍ）、撮影モードを３．５列／回転＝１４ｍｍ／ｒｅｖ  （
高速モード１）とそれぞれ入力する。また、最終的な実効スライス厚を５（ｍｍ）とする
ためにスライス方向再構成フィルタ関数をＦＬＴ１１とそれぞれ入力する（ステップＳ３
）。
【００８２】
この状態で操作者により撮影開始命令が図示しない入力装置から入力されると、システ
ム制御部３は、回転架台５ａの回転、コリメータ５ｂの調整、寝台５ｃの送り速度を制御
するための架台、寝台制御信号を架台、寝台制御部５に対して出力すると共に、Ｘ線ビー
ム発生を制御するためのＸ線ビーム発生制御信号をＸ線制御器７に対して出力する。この
架台、寝台制御信号が出力されると架台、寝台制御部５は、架台、寝台制御信号を基に、
回転架台５ａを回転させ、また、コリメータ５ｂを調整させ、さらに、寝台５ｃの送り速
度を調整させる。また、前記Ｘ線ビーム発生制御信号が出力されるとＸ線制御器７は、高
圧発生器９から高電圧を発生させる。また、システム制御部３は、投影データを収集する
検出器列を切換えるための検出器列切換え信号を切換え部１５に対して出力すると共に、
データ収集のタイミングを示すデータ収集制御信号をデータ収集部１７に対して出力する
。この検出器列切換え信号が出力されると、切換え部１５は、第３列〜第１０列の８列か
ら検出信号を収集可能なように切換える。
【００８３】
これらにより、Ｘ線ビーム発生源１１からＸ線ビームが曝射されると共に寝台５ｃが移
動されてヘリカルスキャンによる撮影が開始される。これにより、Ｘ線ビーム発生源１１
からＸ線ビームが曝射されると共に寝台５ｃが移動されてヘリカルスキャンによる撮影が
開始される。また、前記データ収集制御信号が出力されるとデータ収集部１７は、検出器
１３により検出された検出信号をディジタル信号に変換し、投影データとして所定のタイ
ミングで収集する。
【００８４】
このとき、指定された条件で第３列から第１０列までの８列にＸ線ビームがＸ線ビーム
発生源１１により曝射され、データ収集部１７によりデータが収集される。
【００８５】
ここでは、不均等な８列分のデータが収集されるので、データ収集部１７は、第３列の
検出信号を第１データ、第４，５，６列の検出信号をデータ処理（加算あるいは平均等）
して第２データとし、第７，８，９列の検出信号をデータ処理（加算あるいは平均等）し
て第３データ、第１０列の検出信号を第４データとして４列同時に収集する。また、デー
タ収集部１７は収集した投影データに対し、Ｘ線強度補正、検出器感度補正等種々の補正
を行う（ステップＳ５）。
【００８６】
データ収集部１７により投影データが収集され、種々の補正が行われると、再構成処理
部１９の制御部３３はこの投影データを一時記憶する。また、スライス方向再構成処理部
２３は、この４列複数回転のヘリカルスキャンの投影データを基に、設定されているスラ
イス方向再構成フィルタ関数ＦＬＴ１１を用いてスライス方向にフィルタ処理を行い１列
１回転分の投影データを補間する（ステップＳ７）。ここでスライス方向再構成フィルタ
関数ＦＬＴ１１を用いて補間された投影データは、元々Ｘ線ビームが持っていた厚み４（
ｍｍ）からさそほど変わらない厚み５（ｍｍ）の投影データとなる。
【００８７】
スライス方向再構成処理部２３により投影データが補間されると、再構成関数処理部２
７は、この補間された投影データと再構成関数ＦＣ７をコンボリューション処理する。そ
して、センタリング処理部３１ａにより、予め決められたセンタリング軸に一度逆投影し
、その後、逆投影部３１ｂにより、画像データを構成する各ピクセルに逆投影し、画像デ
ータを再構成する（ステップＳ９）。
【００８８】
このとき、スライス方向再構成フィルタ関数ＦＬＴ１１で補間された投影データから再
構成された画像データは、実効スライス厚５（ｍｍ）の画像データ相当である。高速（１
４ｍｍ／ｒｅｖ  ）に撮影したにも拘らず、スライス方向再構成フィルタ関数ＦＬＴ１１
の効果で画質の良い実効スライス厚５（ｍｍ）の画像データ相当の画像データが得られる
。
【００８９】
再構成処理部１９により再構成された画像データは、順次表示装置２１に供給され、表
示装置２１のモニタ上に表示される（ステップＳ１１）。  
医師は、表示装置２１のモニタ上で読影を行う。  
こうして、ヘリカルスキャンによって肺野撮影およびその読影が行われる。
【００９０】
このように、第１実施形態では、形状の異なるスライス方向再構成フィルタ関数を複数
スライス方向再構成フィルタ関数記憶部２５に記憶させておき、検出器１３により検出さ
れた検出信号を基に、前記スライス方向再構成フィルタ関数記憶部２５に記憶されている
スライス方向再構成フィルタ関数の中から所定の条件に対応するものを用いて目的のスラ
イス位置の投影データ補間するようにしているので、高画質な画像データを適度な枚数で
得ることが可能となる。
【００９１】
次に、本発明に係るＸ線ＣＴ装置の第２実施形態を説明する。尚、図１に示した第１実
施形態のＸ線ＣＴ装置と再構成処理部１９のみが変更されているため、この変更された再
構成処理部１９のみを図２２に示す。
【００９２】
第２実施形態のＸ線ＣＴ装置では、ビーム厚、ＦＯＶサイズ、撮影部位等から画像デー
タのＳ／Ｎ比やパーシャル効果の有無を予測し、実効スライス厚や画質等の目的とする画
像条件等から、収集するＸ線ビームの厚さとスライス方向再構成フィルタ関数を自動的に
設定するようにしたものである。
【００９３】
図２２に示すように、第２実施形態の再構成処理部１９は、図３に示す第１実施形態の
再構成処理部１９に加えて、スライス方向再構成フィルタ関数選択部３５を設けたもので
ある。
【００９４】
スライス方向再構成フィルタ関数選択部３は、複数の画像条件に対応するスライス方向
再構成フィルタ関数を示した複数のテーブルと、複数の検査条件に対応するスライス方向
再構成フィルタ関数を示した複数のテーブルを予め記憶すると共に、標準的な処理、３次
元処理等に対応させて前記テーブルの優先順位を示した優先順位テーブルを予め記憶し、
画像条件、検査条件と、前記テーブル（１）  〜（８）  、前記優先順位テーブルとを対
応させてスライス方向再構成フィルタ関数とビーム厚を選択する。
【００９５】
画像条件に対応するスライス方向再構成フィルタ関数を示したテーブルとして例えば、
図２３に示すように、目的とする画像の実効スライス厚／ビーム厚に対応するスライス方
向再構成フィルタ関数を示したテーブル（１）  、画質重視項目（ハイコントラスト分解
能、時間分解能、ローコントラスト分解能、標準的画質）に対応するスライス方向再構成
フィルタ関数を示したテーブル（２）  、画像目的（読影、３次元処理、ＰＭＣ）に対応
するスライス方向再構成フィルタ関数を示したテーブル（３）  、ＦＯＶサイズ（ＬＬ，
Ｌ，Ｍ，Ｓ，ＳＳ）に対応するスライス方向再構成フィルタ関数を示したテーブル（４）
を記憶する。
【００９６】
また、検査条件に対応するスライス方向再構成フィルタ関数を示したテーブルとして例
えば、図２４に示すように、撮影及び観察部位（頭部、胸部、腹部、腰椎、骨等）に対応
するスライス方向再構成フィルタ関数を示したテーブル（５）  、造影経過時間（直後、
中期、後期）に対応するスライス方向再構成フィルタ関数を示したテーブル（６）  、Ｘ
線条件（管電流）から計算されるＳＮ（ＳＮ（ｍＡ．ｋＶ，ＦＯＶ，ビーム厚））に対応
するスライス方向再構成フィルタ関数を示したテーブル（７）  、スキャンモード（寝台
移動速度／目的の画像の実効スライス厚）に対応するスライス方向再構成フィルタ関数を
示したテーブル（８）  を記憶する。
【００９７】
また、例えば図２５に示すように、標準的な処理では、優先順位１がテーブル（１）  
、以下優先順にテーブル（８）  、テーブル（３）  、テーブル（７）  、テーブル（２
）  、テーブル（５）  、テーブル（４）  、テーブル（６）  、３次元処理時は優先順
位１をテーブル（３）  とした優先順位テーブルを記憶する。尚、これらのテーブル（１
）  〜（８）  、優先順位テーブルは操作者が図示しない入力装置を用いて変更すること
ができる。
【００９８】
次に、第２実施形態の動作例として腹部撮影を行う場合を図２６を参照して説明する。
まず操作者は被検体を寝台５ｃ上に載置し、図示しない入力装置を用いて患者ＩＤ、氏名
等の患者情報を入力した後、スキャノ像を撮影して検査準備を行う（ステップＳ４１）。
このスキャノ像を基に体軸方向の撮影範囲を決定し、ＦＯＶサイズをＬサイズ、管電流２
００（ｍＡ）、管電圧１２０（ｋＶ）、再構成関数をＦＣ３と入力する。なお、ここまで
の動作は従来のＸ線ＣＴ装置の動作と同様である。
【００９９】
さらに、操作者は図示しない入力装置を用いてシステム制御部３に対し、撮影対象を腹
部と入力し、目的とする画像の実効スライス厚を５（ｍｍ）、撮影モードを高画質モード
（４列／回転＝８（ｍｍ）／ｒｅｖ  ）と入力する（ステップＳ４３）。これら操作者に
より入力されたデータは、システム制御部３から再構成処理部１９に送信される。
【０１００】
前記データが送信されると再構成処理部１９のスライス方向再構成フィルタ関数選択部
３５は、前記テーブル（１）  〜（８）  と前記優先順位テーブルを基にスライス方向再
構成フィルタ関数とビーム厚を選択する（ステップＳ４５）。ここでは、スライス方向再
構成フィルタ関数ＦＬＴ２１が選択され、ビーム厚２（ｍｍ）が選択される。また、シス
テム制御部３は、撮影モードが高画質モード（４列／回転）であるため、収集モードを４
列収集とする。再構成処理部１９はこれらを表示装置２１のモニタ上に表示する。操作者
はこれを確認して実行キーもしくは「ＯＫ」とキーを押す。
【０１０１】
この状態で操作者により撮影開始命令が図示しない入力装置から入力されると、システ
ム制御部３は、回転架台５ａの回転、コリメータ５ｂの調整、寝台５ｃの送り速度を制御
するための架台、寝台制御信号を架台、寝台制御部５に対して出力すると共に、Ｘ線ビー
ム発生を制御するためのＸ線ビーム発生制御信号をＸ線制御器７に対して出力する。この
架台、寝台制御信号が出力されると架台、寝台制御部５は、架台、寝台制御信号を基に、
回転架台５ａを回転させ、また、コリメータ５ｂを調整させ、さらに、寝台５ｃの送り速
度を調整させる。また、前記Ｘ線ビーム発生制御信号が出力されるとＸ線制御器７は、高
圧発生器９から高電圧を発生させる。また、システム制御部３は、投影データを収集する
検出器列を切換えるための検出器列切換え信号を切換え部１５に対して出力すると共に、
データ収集のタイミングを示すデータ収集制御信号をデータ収集部１７に対して出力する
。この検出器列切換え信号が出力されると、切換え部１５は、第３列〜第１０列の８列か
ら検出信号を収集可能なように切換える。
【０１０２】
これらにより、Ｘ線ビーム発生源１１からＸ線ビームが曝射されると共に寝台５ｃが移
動されてヘリカルスキャンによる撮影が開始される。これにより、Ｘ線ビーム発生源１１
からＸ線ビームが曝射されると共に寝台５ｃが移動されてヘリカルスキャンによる撮影が
開始される。また、前記データ収集制御信号が出力されるとデータ収集部１７は、検出器
１３により検出された検出信号をディジタル信号に変換し、投影データとして所定のタイ
ミングで収集する。
【０１０３】
このとき、指定された条件で第３列から第１０列までの８列にＸ線ビームがＸ線ビーム
発生源１１により曝射され、データ収集部１７によりデータが収集される。
【０１０４】
ここでは、不均等な８列分のデータが収集されるので、データ収集部１７は、第３列の
検出信号を第１データ、第４，５，６列の検出信号をデータ処理（加算あるいは平均等）
して第２データとし、第７，８，９列の検出信号をデータ処理（加算あるいは平均等）し
て第３データ、第１０列の検出信号を第４データとして４列同時に収集する。また、デー
タ収集部１７は収集した投影データに対し、Ｘ線強度補正、検出器感度補正等種々の補正
を行う（ステップＳ４７）。
【０１０５】
データ収集部１７により投影データが収集され、種々の補正が行われると、再構成処理
部１９の制御部３３はこの投影データを一時記憶する。また、スライス方向再構成処理部
２３は、この４列複数回転のヘリカルスキャンの投影データを基に、設定されているスラ
イス方向再構成フィルタ関数ＦＬＴ２１を用いてスライス方向にフィルタ処理を行い１列
１回転分の投影データを補間する（ステップＳ４９）。
【０１０６】
スライス方向再構成処理部２３により投影データが補間されると、再構成関数処理部２
７は、この補間された投影データと再構成関数ＦＣ３をコンボリューション処理する。そ
して、センタリング処理部３１ａにより、予め決められたセンタリング軸に一度逆投影し
、その後、逆投影部３１ｂにより、画像データを構成する各ピクセルに逆投影し、画像デ
ータを再構成する（ステップＳ５１）。
【０１０７】
このとき、厚みを持った投影データから再構成するので、厚みを持った画像データが再
構成され、目的とした実効スライス厚５（ｍｍ）の画像データが得られる。しかし、元々
は２（ｍｍ）のビーム厚で収集された投影データを処理して補間データを作成したもので
あるため、この画像データのパーシャル効果は実効スライス厚２（ｍｍ）の画像データ相
当のかなり良いものである。また、広い範囲で収集したフォトン数から成る画像データで
あるので、Ｓ／Ｎ比は、実効スライス厚５（ｍｍ）の画像データ相当である。即ち、前記
再構成された投影データは、実効スライス厚２（ｍｍ）の画像データ相当のパーシャル抑
制効果と、実効スライス厚５（ｍｍ）の画像データ相当の高Ｓ／Ｎ比、ローコントラスト
描出能を持っている。
【０１０８】
再構成処理部１９により再構成された画像データは、順次表示装置２１に供給され、表
示装置２１のモニタ上に表示される（ステップＳ５３）。
【０１０９】
ここで表示されている画像データをモニタ上で医師が読影していたとき、陰影を認めて
より薄い画像データで詳細に読影したい場合、医師は、目的とする画像データの実効スラ
イス厚を３（ｍｍ）として再構成リトライを指示する。
【０１１０】
再構成リトライの指示が行われると、変更されたデータは、システム制御部３から再構
成処理部１９に送信される。
【０１１１】
前記データが送信されると再構成処理部１９のスライス方向再構成フィルタ関数選択部
３５は、前記テーブル（１）  〜（８）  と前記優先順位テーブルを基にスライス方向再
構成フィルタ関数を変更する（ステップＳ５５ＹＥＳ  ，Ｓ５７）。ここでは、スライス
方向再構成フィルタ関数選択部３５は、スライス方向再構成フィルタ関数をＦＬＴ２１か
らＦＬＴ１１に変更する。そして、再構成処理部１９は、制御部３３に記憶されている投
影データを読み出し、変更されたスライス方向再構成フィルタ関数ＦＬＴ０１を用いて投
影データを補間して再度画像データを再構成する（ステップＳ４９，Ｓ５１）。そして、
この再構成された画像データは、順次表示装置２１のモニタ上もしくは転送されて読影用
のワークステーションのモニタ上に表示される（ステップＳ５３）。このモニタ上に表示
される画像データは、比較的幅の薄いスライス方向再構成フィルタ関数ＦＬＴ１１を用い
て補間された投影データから再構成されるため、実効スライス厚３（ｍｍ）の画像データ
相当に薄くなったものである。これにより医師は詳細な読影を行うことができる。
【０１１２】
次に、第２実施形態の動作例として３次元画像処理手段を有する場合の例を説図２６を
参照して説明する。まず操作者は被検体を寝台５ｃ上に載置し、図示しない入力装置を用
いて患者ＩＤ、氏名等の患者情報を入力した後、スキャノ像を撮影して検査準備を行う（
ステップＳ４１）。このスキャノ像を基に体軸方向の撮影範囲を決定し、ＦＯＶサイズを
Ｓサイズ、管電流３００（ｍＡ）、管電圧１２０（ｋＶ）、再構成関数をＦＣ５と入力す
る。なお、ここまでの動作は従来のＸ線ＣＴ装置の動作と同様である。
【０１１３】
さらに、操作者は図示しない入力装置を用いてシステム制御部３に対し、撮影対象を腹
部と入力し、目的とする画像の実効スライス厚を５（ｍｍ）、３次元処理有りと入力する
（ステップＳ４３）。これら操作者により入力されたデータは、システム制御部３から再
構成処理部１９に送信される。
【０１１４】
前記データが送信されると再構成処理部１９のスライス方向再構成フィルタ関数選択部
３５は、前記テーブル（１）  〜（８）  と前記優先順位テーブルを基にスライス方向再
構成フィルタ関数とビーム厚を選択する（ステップＳ４５）。ここでは、スライス方向再
構成フィルタ関数ＦＬＴ２１が選択され、ビーム厚２（ｍｍ）が選択される。また、シス
テム制御部３は、撮影モードが高画質モード（４列／回転）であるため、収集モードを４
列収集とする。
【０１１５】
この状態で操作者により撮影開始命令が図示しない入力装置から入力されると、システ
ム制御部３は、回転架台５ａの回転、コリメータ５ｂの調整、寝台５ｃの送り速度を制御
するための架台、寝台制御信号を架台、寝台制御部５に対して出力すると共に、Ｘ線ビー
ム発生を制御するためのＸ線ビーム発生制御信号をＸ線制御器７に対して出力する。この
架台、寝台制御信号が出力されると架台、寝台制御部５は、架台、寝台制御信号を基に、
回転架台５ａを回転させ、また、コリメータ５ｂを調整させ、さらに、寝台５ｃの送り速
度を調整させる。また、前記Ｘ線ビーム発生制御信号が出力されるとＸ線制御器７は、高
圧発生器９から高電圧を発生させる。また、システム制御部３は、投影データを収集する
検出器列を切換えるための検出器列切換え信号を切換え部１５に対して出力すると共に、
データ収集のタイミングを示すデータ収集制御信号をデータ収集部１７に対して出力する
。この検出器列切換え信号が出力されると、切換え部１５は、第３列〜第１０列の８列か
ら検出信号を収集可能なように切換える。
【０１１６】
これらにより、Ｘ線ビーム発生源１１からＸ線ビームが曝射されると共に寝台５ｃが移
動されてヘリカルスキャンによる撮影が開始される。これにより、Ｘ線ビーム発生源１１
からＸ線ビームが曝射されると共に寝台５ｃが移動されてヘリカルスキャンによる撮影が
開始される。また、前記データ収集制御信号が出力されるとデータ収集部１７は、検出器
１３により検出された検出信号をディジタル信号に変換し、投影データとして所定のタイ
ミングで収集する。
【０１１７】
このとき、指定された条件で第３列から第１０列までの８列にＸ線ビームがＸ線ビーム
発生源１１により曝射され、データ収集部１７によりデータが収集される。
【０１１８】
ここでは、不均等な８列分のデータが収集されるので、データ収集部１７は、第３列の
検出信号を第１データ、第４，５，６列の検出信号をデータ処理（加算あるいは平均等）
して第２データとし、第７，８，９列の検出信号をデータ処理（加算あるいは平均等）し
て第３データ、第１０列の検出信号を第４データとして４列同時に収集する。また、デー
タ収集部１７は収集した投影データに対し、Ｘ線強度補正、検出器感度補正等種々の補正
を行う（ステップＳ４７）。
【０１１９】
データ収集部１７により投影データが収集され、種々の補正が行われると、再構成処理
部１９の制御部３３はこの投影データを一時記憶する。また、スライス方向再構成処理部
２３は、この４列複数回転のヘリカルスキャンの投影データを基に、設定されているスラ
イス方向再構成フィルタ関数ＦＬＴ２１を用いてスライス方向にフィルタ処理を行い１列
１回転分の投影データを補間する（ステップＳ４９）。
【０１２０】
スライス方向再構成処理部２３により投影データが補間されると、再構成関数処理部２
７は、この補間された投影データと再構成関数ＦＣ５をコンボリューション処理する。そ
して、センタリング処理部３１ａにより、予め決められたセンタリング軸に一度逆投影し
、その後、逆投影部３１ｂにより、画像データを構成する各ピクセルに逆投影し、画像デ
ータを再構成する（ステップＳ５１）。
【０１２１】
このとき、厚みを持った投影データから再構成するので、厚みを持った画像データが再
構成され、目的とした実効スライス厚５（ｍｍ）の画像データが得られる。しかし、元々
は２（ｍｍ）のビーム厚で収集された投影データを処理して補間データを作成したもので
あるため、この画像データのパーシャル効果は実効スライス厚２（ｍｍ）の画像データ相
当のかなり良いものである。また、広い範囲で収集したフォトン数から成る画像データで
あるので、Ｓ／Ｎ比は、実効スライス厚５（ｍｍ）の画像データ相当である。即ち、前記
再構成された投影データは、実効スライス厚２（ｍｍ）の画像データ相当のパーシャル抑
制効果と、実効スライス厚５（ｍｍ）の画像データ相当の高Ｓ／Ｎ比、ローコントラスト
描出能を持っている。
【０１２２】
再構成処理部１９により再構成された画像データは、順次表示装置２１に供給され、表
示装置２１のモニタ上に表示される（ステップＳ５３）。
【０１２３】
医師は、表示装置２１のモニタ上で画像データの確認を行い、フィルムあるいは図示し
ないハードディスク装置、光磁気ディスク装置等にその画像データを記憶させる。そして
位置は確認終了後、図示しない入力装置を用いて３次元処理の指示を行う。
【０１２４】
３次元処理の指示が行われるとシステム制御部３は、スライス方向再構成フィルタ関数
を三次元処理用のものに変更することを再構成処理部１９に対して指示する。
【０１２５】
前記３次元処理用のスライス方向再構成フィルタ関数を変更することが指示されると再
構成処理部のスライス方向再構成フィルタ関数選択部３５は、スライス方向再構成フィル
タ関数をＦＬＴ００に変更する（ステップＳ５５ＹＥＳ  ，Ｓ５７）。そして、再構成処
理部１９は、制御部３３に一時記憶されている投影データを読み出し、変更されたスライ
ス方向再構成フィルタ関数ＦＬＴ００を用いて投影データを補間して再度画像データを再
構成する（ステップＳ４９，Ｓ５１）。
【０１２６】
このスライス方向再構成フィルタ関数ＦＬＴ００は図５に示すように極端に薄いもので
あり、補間された投影データは最も厚さが薄いものとなる。従って再構成される画像デー
タも実効スライス厚が最も薄い画像データ（２（ｍｍ））となる。この画像データはアー
チファクトがややあるので特殊な読影目的以外には何らかの処理をしないと津上の読影に
は適さない。特殊な読影目的とは、例えば骨を観察するためウィンドウを広げるのでアー
チファクトの許容範囲が広く、実効スライス厚の薄さを優先したい等である。
【０１２７】
３次元処理の場合には、３次元画像作成のために、しきい値処理するので、多少のアー
チファクトは影響がない。実効スライス厚が厚いと、最終的な３次元画像の分解能が劣化
するので、その薄さが優先される。
【０１２８】
次いで、図示しない３次元画像処理手段は、この実効スライス厚２（ｍｍ）の画像デー
タを基にボクセルデータを作成する。医師は、このボクセルデータをしきい値処理して色
づけし、骨と腫瘍、血管等を表現した３次元画像を作成する。この３次元画像は、実効ス
ライス厚２（ｍｍ）の薄い画像データを基に作成されているので、滑らかでスライス方向
分解能の高いものとなる。
【０１２９】
次に、第２実施形態の動作例として造影剤を用いた場合の例を図２７を参照して説明す
る。まず操作者は被検体を寝台５ｃ上に載置し、図示しない入力装置を用いて患者ＩＤ、
氏名等の患者情報を入力した後、スキャノ像を撮影して検査準備を行う（ステップＳ６１
）。このスキャノ像を基に体軸方向の撮影範囲（１５０（ｍｍ））を決定し、ＦＯＶサイ
ズをＭサイズ、管電流２００（ｍＡ）、管電圧１２０（ｋＶ）、再構成関数をＦＣ２と入
力する。なお、ここまでの動作は従来のＸ線ＣＴ装置の動作と同様である。
【０１３０】
さらに、操作者は図示しない入力装置を用いてシステム制御部３に対し、撮影対象を腹
部造影と入力し、目的とする画像の実効スライス厚を５（ｍｍ）と入力する（ステップＳ
６３）。これら操作者により入力されたデータは、システム制御部３から再構成処理部１
９に送信される。
【０１３１】
前記データが送信されると再構成処理部１９のスライス方向再構成フィルタ関数選択部
３５は、前記テーブル（１）  〜（８）と前記優先順位テーブルを基にスライス方向再構
成フィルタ関数とビーム厚を選択する（ステップＳ６５）。ここでは、スライス方向再構
成フィルタ関数ＦＬＴ０１およびＦＬＴ２１が選択され、ビーム厚２（ｍｍ）が選択され
る。また、システム制御部３は、撮影モードを４列／回転＝８（ｍｍ）／ｒｅｖ  、収集
モードを４列収集とする。再構成処理部１９はこれらを表示装置２１のモニタ上に表示す
る。操作者はこれを確認して実行キーもしくは「ＯＫ」とキーを押す。
【０１３２】
この状態で操作者により撮影開始命令が図示しない入力装置から入力されると、システ
ム制御部３は、回転架台５ａの回転、コリメータ５ｂの調整、寝台５ｃの送り速度を制御
するための架台、寝台制御信号を架台、寝台制御部５に対して出力すると共に、Ｘ線ビー
ム発生を制御するためのＸ線ビーム発生制御信号をＸ線制御器７に対して出力する。この
架台、寝台制御信号が出力されると架台、寝台制御部５は、架台、寝台制御信号を基に、
回転架台５ａを回転させ、また、コリメータ５ｂを調整させ、さらに、寝台５ｃの送り速
度を調整させる。また、前記Ｘ線ビーム発生制御信号が出力されるとＸ線制御器７は、高
圧発生器９から高電圧を発生させる。また、システム制御部３は、投影データを収集する
検出器列を切換えるための検出器列切換え信号を切換え部１５に対して出力すると共に、
データ収集のタイミングを示すデータ収集制御信号をデータ収集部１７に対して出力する
。この検出器列切換え信号が出力されると、切換え部１５は、第３列〜第１０列の８列か
ら検出信号を収集可能なように切換える。
【０１３３】
これらにより、Ｘ線ビーム発生源１１からＸ線ビームが曝射されると共に寝台５ｃが移
動されてヘリカルスキャンによる撮影が開始される。これにより、Ｘ線ビーム発生源１１
からＸ線ビームが曝射されると共に寝台５ｃが移動されてヘリカルスキャンによる撮影が
開始される。また、前記データ収集制御信号が出力されるとデータ収集部１７は、検出器
１３により検出された検出信号をディジタル信号に変換し、投影データとして所定のタイ
ミングで収集する。
【０１３４】
このとき、指定された条件で第３列から第１０列までの８列にＸ線ビームがＸ線ビーム
発生源１１により曝射され、データ収集部１７によりデータが収集される。
【０１３５】
ここでは、不均等な８列分のデータが収集されるので、データ収集部１７は、第３列の
検出信号を第１データ、第４，５，６列の検出信号をデータ処理（加算あるいは平均等）
して第２データとし、第７，８，９列の検出信号をデータ処理（加算あるいは平均等）し
て第３データ、第１０列の検出信号を第４データとして４列同時に収集する。また、デー
タ収集部１７は収集した投影データに対し、Ｘ線強度補正、検出器感度補正等種々の補正
を行う。ここでは、規定の範囲を所定の間隔で繰り返しヘリカルスキャンする。またこの
例では造影経過時間に対応させてスライス方向再構成フィルタ関数を選択する。
【０１３６】
例えば造影初期では、造影剤の動きが体動に相当するので、アーチファクトが発生し、
また、造影剤の染まり方の変化が重要であることと合わせ、スライス方向再構成処理部２
３は、時間分解能を優先して幅狭なスライス方向再構成フィルタ関数ＦＬＴ０１を用い、
さらに１８０度＋ファン角度の投影データだけ補間する（ステップＳ６９，Ｓ７１）。
【０１３７】
スライス方向再構成処理部２３により投影データが補間されると、再構成関数処理部２
７は、この補間された投影データと再構成関数ＦＣ２をコンボリューション処理する。そ
して、センタリング処理部３１ａにより、予め決められたセンタリング軸に一度逆投影し
、その後、逆投影部３１ｂにより、画像データを構成する各ピクセルに逆投影し、画像デ
ータを再構成する（ステップＳ７３）。
【０１３８】
ここで造影初期では１８０度＋ファン角度の投影データを基に再構成するので、実効ス
キャン時間は１回転の半分程度であり、時間分解能の高い良好な画像データが得られる。
そして、再構成処理部１９により再構成された画像データは順次表示装置２１に供給さ
れ、表示装置２１のモニタ上に表示される（ステップＳ７５）。
【０１３９】
また、造影中期および後期では、造影剤はほぼ安定的に行き渡り、Ｓ／Ｎ比の良い画像
データで染まり方を詳細に検討したいので、スライス方向再構成処理部２３は、幅広なス
ライス方向再構成フィルタ関数ＦＬＴ２１を用いて投影データを補間する（ステップＳ６
９，Ｓ７１）。
【０１４０】
スライス方向再構成処理部２３により投影データが補間されると、再構成関数処理部２
７は、この補間された投影データと再構成関数ＦＣ２をコンボリューション処理する。そ
して、センタリング処理部３１ａにより、予め決められたセンタリング軸に一度逆投影し
、その後、逆投影部３１ｂにより、画像データを構成する各ピクセルに逆投影し、画像デ
ータを再構成する（ステップＳ７３）。
【０１４１】
ここで造影中期および後期では通常の再構成を行うので、Ｓ／Ｎ比およびローコントラ
スト描出能の高い画像データが得られる。
【０１４２】
そして、再構成処理部１９により再構成された画像データは順次表示装置２１に供給さ
れ、表示装置２１のモニタ上に表示される（ステップＳ７５）。医師は、表示装置２１の
モニタ上で読影を行う。
【０１４３】
このように、第２実施形態のＸ線ＣＴ装置では、実効スライス厚、画質等の画像条件等
に対応させて収集するビームの厚さとスライス方向再構成フィルタ関数を自動的に設定す
るようにしているので、第１実施形態の効果に加え、操作者に掛かる負担を軽減するがで
きる。
【０１４４】
尚、第１実施形態、第２実施形態共に検出器１３として、Ｚ軸方向の高さが異なる複数
の検出器列を有するものを用いていたが、本発明はこれに限定されること無く、図３６（
Ｃ）に示すようなＺ軸方向の高さが等しい複数の検出器列（例えばＺ軸方向の高さが１（
ｍｍ）の検出器列を２０列）を有する検出器１３を用いるようにしても良い。
【０１４５】
この場合、例えば図２８（ａ）〜（ｄ）に示すように、フィルタ幅の異なるスライス方
向再構成フィルタ関数の中から、目的とする画像データの実効スライス厚、画質等の画像
条件に対応させてスライス方向再構成フィルタ関数を選択するようにする。このとき、予
めスライス方向再構成フィルタ関数記憶部２５にスライス方向再構成フィルタ関数として
、図２８（ａ）に示すように目的とする画像データの実効スライス厚が２（ｍｍ）用のも
のと、図２８（ｂ）に示すように目的とする画像データの実効スライス厚が３（ｍｍ）用
のものと、図２８（ｃ）に示すように目的とする画像データの実効スライス厚が５（ｍｍ
）用のものと、図２８（ｄ）に示すように目的とする画像データの実効スライス厚が１０
（ｍｍ）用のもの等を記憶させておき、この中から画像条件に対応したものを選択する。
また、前述した第２実施形態の場合と同様に、画像条件に対応させて自動的にスライス方
向再構成フィルタ関数を選択させるようにしても良い。
【０１４６】
また、第１実施形態、第２実施形態共に図５〜図１８に示すようなスライス方向再構成
フィルタ関数を用いていたが、本発明はこれに限定されること無く、他のスライス方向フ
ィルタ関数を用いても良い。
【０１４７】
例えば、スライス方向再構成フィルタ関数記憶部２５にＦＬＴ０，ＦＬＴ１，ＦＬＴ２
，ＦＬＴ３の４種類のフィルタ強度を持つものを予め記憶させる。このスライス方向再構
成フィルタ関数ＦＬＴ０，ＦＬＴ１，ＦＬＴ２，ＦＬＴ３は、ＦＬＴ０から番号が大きく
なるにつれてスライス方向の分解能が劣化する。例えばスライス方向再構成フィルタ関数
ＦＬＴ３なら５枚分（５画像分）の画像データを加算し、ＦＬＴ２なら３枚分の画像デー
タを加算、ＦＬＴ１なら１枚分の画像データを加算する。また、ＦＬＴ０なら同一画素で
スライス方向にハイパスフィルタ処理をしたような、いわゆるデコンボリューション処理
と同等となる。
【０１４８】
ここで、例えば４列検出器で２（ｍｍ）×４列＝８（ｍｍ）ビームで寝台送り速度８（
ｍｍ／ｒｅｖ）でスキャンを行うものとする。  
この場合、再構成処理１９では、１（ｍｍ）間隔で画像データを再構成する。このとき
、操作者から画像ピッチは２（ｍｍ）と指定されている場合、再構成処理部１９は、スラ
イス方向再構成フィルタ関数としてＦＬＴ２を用い、以下に示す式（１）により各スライ
ス位置の画像データを作成する。
【数１】
2008253802.tif 000003
【０１４９】
この再構成処理部１９により再構成された画像データは順次表示装置２１に供給され、
表示装置２１のモニタ上に表示され、医師の読影に供する。
【０１５０】
尚、基本的には、スライス方向の平滑化処理（束ね処理）を画像加算で行うことと、ス
ライス方向の先鋭化処理を同一画素のスライス方向のハイパスフィルタ／デコンボリュー
ション処理で行うことである。またこのため、シングルスライスＣＴでも適用することが
できる。また、隣接画像データ作成時には以下に示す式（２）の差分加算方式で画像デー
タを作成するようにしても良い。
【数２】
2008253802.tif 000004
【０１５１】
尚、前記の前数字はこれに限定されるものではない。
【０１５２】
次に、本発明に係るＸ線ＣＴ装置の第３実施形態を説明する。尚、第３実施形態のＸ線
ＣＴ装置は第２実施形態のＸ線ＣＴ装置と構成は同一であるため、図示および詳細な説明
は省略した。
【０１５３】
第３実施形態のＸ線ＣＴ装置は、図２９に示すように、所定のスライス間隔で回転架台
５ａを３６０度回転させて投影データを得るスタティックスキャンを行う場合にも適用で
きるようにしたものである。このため、スライス方向再構成フィルタ関数記憶部２５に、
第２実施形態でのスライス方向再構成フィルタ関数に加えて、図３１に示すようなスライ
ス方向再構成フィルタ関数ＦＬＴ−Ａ，ＦＬＴ−Ｂ，ＦＬＴ−Ｃ，ＦＬＴ−Ｄ，ＦＬＴ−
Ｅを予め記憶させておく。
【０１５４】
スライス方向再構成フィルタ関数ＦＬＴ−Ａは、通常使用されるものであり（通常モー
ド）、図３０と図３１に示すように、第１データをデータ１、第２データをデータ２、第
３データをデータ３、第４データをデータ４とする。
【０１５５】
スライス方向再構成フィルタ関数ＦＬＴ−Ｂは、束ねモードであり図３０と図３２に示
すように、第１データと第２データを加算処理してデータ１、第３データと第４データを
加算処理してデータ２とする。  
スライス方向再構成フィルタ関数ＦＬＴ−Ｃは、束ねモードであり図３０に示すように
、第１データと第２データと第３データと第４データを加算処理してデータ１とする。  
スライス方向再構成フィルタ関数ＦＬＴ−Ｄは、図３０に示すように、第１データをデ
ータ１、第２データと第３データを加算処理してデータ２、第４データをデータ３とする
。  
スライス方向再構成フィルタ関数ＦＬＴ−Ｅは、図３０に示すように、第２データと第
３データを加算処理してデータ１とする（第１データと第２データは使用しない）。
【０１５６】
次に、第３実施形態の動作を図３１を参照して説明する。まず操作者は被検体を寝台５
ｃ上に載置し、図示しない入力装置を用いて患者ＩＤ、氏名等の患者情報を入力した後、
スキャノ像を撮影して検査準備を行う（ステップＳ８１）。このスキャノ像を基に体軸方
向の撮影範囲（１５０（ｍｍ））を決定し、ＦＯＶサイズをＳサイズ、管電流３００（ｍ
Ａ）、管電圧１２０（ｋＶ）、再構成関数を頭部用のＦＣ４と入力する。尚、ここまでの
動作は従来のＸ線ＣＴ装置の動作と同様である。
【０１５７】
さらに、操作者は図示しない入力装置を用いてシステム制御部３に対し、撮影対象を頭
部造影と入力し、目的とする画像の実効スライス厚を４（ｍｍ）、撮影モードを頭蓋底領
域ではスタティック高画質モード、頭頂部ではスタティック高速モードと入力する（ステ
ップＳ８３）。これら操作者により入力されたデータは、システム制御部３から再構成処
理部１９に送信される。
【０１５８】
前記データが送信されると再構成処理部１９では、収集モード等を領域毎に設定する。
即ち、頭蓋底領域ではビーム厚を２（ｍｍ）、収集モードを４列収集、寝台送りを８（ｍ
ｍ／ステップ）、スライス方向再構成フィルタ関数を束ねモードのＦＬＴ−Ｂとする。ま
た、頭頂部領域ではビーム厚を４（ｍｍ）、収集モードを４列収集、寝台送りを１６（ｍ
ｍ／ステップ）、スライス方向再構成フィルタ関数を通常モードのＦＬＴ−Ａとする（ス
テップＳ８５）。再構成処理部１９はこれらを表示装置２１のモニタ上に表示する。操作
者はこれを確認して実行キーもしくは「ＯＫ」とキーを押す。
【０１５９】
この状態で操作者により撮影開始命令が図示しない入力装置から入力されると、システ
ム制御部３は、回転架台５ａの回転、コリメータ５ｂの調整、寝台５ｃの送り速度を制御
するための架台、寝台制御信号を架台、寝台制御部５に対して出力すると共に、Ｘ線ビー
ム発生を制御するためのＸ線ビーム発生制御信号をＸ線制御器７に対して出力する。この
架台、寝台制御信号が出力されると架台、寝台制御部５は、架台、寝台制御信号を基に、
回転架台５ａを回転させ、また、コリメータ５ｂを調整させ、さらに、寝台５ｃのステッ
プ移動の距離およびそのタイミングを調整させる。また、前記Ｘ線ビーム発生制御信号が
出力されるとＸ線制御器７は、高圧発生器９から高電圧を発生させる。これにより、スタ
ティックスキャンによる撮影が開始される。
【０１６０】
ここで、システム制御部３は、頭蓋底領域では１スキャン毎に８（ｍｍ）、頭頂部領域
では１スキャン毎に１６（ｍｍ）寝台５ｃを移動させる。また、コリメータ５ｂを必要な
曝射幅に合わせて開口幅を制御して不要な被曝を低減させると共に、切換え部１５を切り
換えてデータ収集部１７により必要なデータを収集させる。また、データ収集部１７は収
集した投影データに対し、Ｘ線強度補正、検出器感度補正等種々の補正を行う（ステップ
Ｓ８７）。
【０１６１】
データ収集部１７により投影データが収集され、種々の補正が行われると、再構成処理
部１９のスライス方向再構成処理部２３は、設定されているスライス方向再構成フィルタ
関数に合わせて投影データ得る。
【０１６２】
ここで、頭蓋底領域では図３１に示すように、スライス方向再構成フィルタ関数ＦＬＴ
−Ｂを用いて第１データと第２データを加算処理してデータ１、第３データと第４データ
を加算処理してデータ２を得る。
【０１６３】
また、頭頂部領域では図３２に示すように、スライス方向再構成フィルタ関数ＦＬＴ−
Ａを用いて第１データをデータ１、第２データをデータ２、第３データをデータ３、第４
データをデータ４とする（ステップＳ８９）。
【０１６４】
スライス方向再構成処理部２３により投影データが補間されると、再構成関数処理部２
７は、この補間された投影データと再構成関数ＦＣ４をコンボリューション処理する。そ
して、センタリング処理部３１ａにより、予め決められたセンタリング軸に一度逆投影し
、その後、逆投影部３１ｂにより、画像データを構成する各ピクセルに逆投影し、画像デ
ータを再構成する（ステップＳ９１）。
【０１６５】
このとき、頭蓋底領域では、２（ｍｍ）厚の画像データ相当のパーシャル効果による４
（ｍｍ）厚の画像データが得られる。また、頭頂部領域では、１回てんで４スライス得ら
れるため、スキャン時間を短縮させることができる。
【０１６６】
再構成処理部１９により再構成された画像データは、順次表示装置２１に供給され、表
示装置２１のモニタ上に表示される（ステップＳ９３）。頭蓋底付近の画像データのスラ
イス位置は図３４の中央と右側に矢印で示すように第１データと第２データのスライス位
置の間とする。このときの画像の再構成ピッチは４（ｍｍ）である。  
そして医師は、表示装置２１のモニタ上で読影を行う。
【０１６７】
ここで、医師が頭蓋底の画像データ読影時に、異常な陰影を発見し、前回の検査により
得られた画像データと比較読影するために、今回の画像ピッチを細かくして再構成したい
場合、医師は画像再構成ピッチを２（ｍｍ）にして再構成リトライを指示する（ステップ
Ｓ９５ＹＥＳ  ）。
【０１６８】
これにより再構成処理部１９は、図３４の右側に示すように投影データの加算処理の組
み合わせを変更したスライス方向再構成フィルタ関数を用いてスライス方向にフィルタ処
理を行い、図３４の右側に矢印で示すスライス位置の４（ｍｍ）厚の画像データを得る（
ステップＳ８９，Ｓ９１）。
【０１６９】
そして、今回再構成した画像データと前回再構成した画像データは組み合わされ、再構
成ピッチ２（ｍｍ）で順次表示装置２１のモニタ上に表示される（ステップＳ９３）。
【０１７０】
このように、第３実施形態のＸ線ＣＴ装置では、予めスライス方向再構成フィルタ関数
記憶部２５にスタティックスキャン用のスライス方向再構成フィルタ関数を記憶させ、撮
影対象、ビーム厚と目的とする画像の特性に対応させてスライス方向再構成フィルタを選
択するようにしているので、高画質な画像データを適度な枚数で得ることが可能となる。
【０１７１】
尚、第１実施形態、第２実施形態、第３実施形態共に、再構成関数、スライス方向再構
成フィルタ関数は、前記の例に限定されるものではなく、例えばスライス方向再構成フィ
ルタ関数の形状（幅と重み）は、いずれの形状でも良い。
【０１７２】
また、第１実施形態、第２実施形態共に、フィルタ補間を用いたシングルスライスＣＴ
にも適用することができる。  
さらに、第１実施形態、第２実施形態共に、スライス厚は前述の例に限定されるもので
はなく、例えばスライス厚４（ｍｍ）の場合には、第２列から第１１列までの１０列にＸ
線ビームを曝射してデータを収集する。即ち、図２０（ｃ）に斜線で示した列だけデータ
を収集する。  
ここでは、不均等な１０列分のデータが収集されるので、第３，４，５，６列の４つの
データを処理（加算あるいは平均等）して第２データとする。同様に、第７，８，９，１
０列のデータを処理して第３データとする。即ち、
第２列              …第１データ
第３，４，５，６列  …第２データ
第７，８，９，１０列…第３データ
第１１列            …第４データ
とし、第１，２，３，４データを同時に収集する。  
さらに、第１実施形態と第２実施形態では、補間方法として対向ビームを用いたフィル
タ補間法を例に説明したが、これに限定されるものではなく、例えば隣接補間法とフィル
タ補間法の組み合わせ等でも良い。
【０１７３】
さらに、スライス方向再構成フィルタ関数の形状（幅と重み）は、限定されるものでは
なく、いずれの形状（幅と重み）でも良い。
【０１７４】
さらに、第１実施形態と第２実施形態では不均等１２列検出器１３を用いた場合を例に
して説明したが、これに限定されるものではなく、例えば均等８列検出器による４列サン
プリングでも良いし、例えば１００列検出器等、その他の形状による収集でも良い。また
、直線マルチスライス検出器あるいは平面検出器でも良い。
【０１７５】
さらに、第１実施形態と第２実施形態ではスライス方向再構成フィルタ関数を図５〜図
１８に示す関数の形を用いて説明したが、これに限定されるものではなく、他の表現方法
でも良い。例えば、目的のスライス位置（Ｚ０）の補間データを以下に示す式（３）のよ
うに得るものと考え、目的のスライス位置前後の複数のスライス位置（  Ｚ＝Ｚ０＋Δ  
ｋ  ）の補間データの重み付け加算と考え、その複数スライス位置（  Ｚ＝Ｚ０＋Δ  ｋ
）の幅（Δ  とｋ  ）と重みＷ（ｋ）でスライス方向再構成フィルタ関数としても良い
。
【数３】
2008253802.tif 000005
【図面の簡単な説明】
【０１７６】
【図１】本発明に係るＸ線ＣＴ装置の第１実施形態の概略の構成を示すブロック図である。
【図２】検出器の一例を示す図である。
【図３】再構成処理部の内部構成を示すブロック図である。
【図４】スライス方向再構成フィルタ関数の特徴と示す図である。
【図５】スライス方向再構成フィルタ関数（ＦＬＴ００）を示す図である。
【図６】スライス方向再構成フィルタ関数（ＦＬＴ０１）を示す図である。
【図７】スライス方向再構成フィルタ関数（ＦＬＴ０２）を示す図である。
【図８】スライス方向再構成フィルタ関数（ＦＬＴ０３）を示す図である。
【図９】スライス方向再構成フィルタ関数（ＦＬＴ１１）を示す図である。
【図１０】スライス方向再構成フィルタ関数（ＦＬＴ１２）を示す図である。
【図１１】スライス方向再構成フィルタ関数（ＦＬＴ１３）を示す図である。
【図１２】スライス方向再構成フィルタ関数（ＦＬＴ２１）を示す図である。
【図１３】スライス方向再構成フィルタ関数（ＦＬＴ２２）を示す図である。
【図１４】スライス方向再構成フィルタ関数（ＦＬＴ２３）を示す図である。
【図１５】スライス方向再構成フィルタ関数（ＦＬＴ３１）を示す図である。
【図１６】スライス方向再構成フィルタ関数（ＦＬＴ３２）を示す図である。
【図１７】スライス方向再構成フィルタ関数（ＦＬＴ３３）を示す図である。
【図１８】スライス方向再構成フィルタ関数（ＦＬＴ４１）を示す図である。
【図１９】第１実施形態の動作（第１の検査と第３の検査）の流れを示すフローチャートである。
【図２０】データを収集する検出機列を示す図である。
【図２１】第１実施形態の動作（第２の検査）の流れを示すフローチャートである。
【図２２】本発明に係るＸ線ＣＴ装置の第２実施形態の再構成処理部の構成を示すブロック図である。
【図２３】複数の画像条件に対応するスライス方向再構成フィルタ関数を示すテーブルである。
【図２４】複数の検査条件に対応するスライス方向再構成フィルタ関数を示すテーブルである。
【図２５】画像条件と検査条件の優先順位を示すテーブルである。
【図２６】第２実施形態の動作の流れを示すフローチャートである。
【図２７】第２実施形態の動作の流れを示すフローチャートである。
【図２８】他のスライス方向再構成フィルタ関数を示す図である。
【図２９】スタティックスキャンを説明するための図である。
【図３０】スタティックスキャン用のスライス方向再構成フィルタ関数を示す図である。
【図３１】第３実施形態の動作の流れを示すフローチャートである。
【図３２】スライス方向再構成フィルタ関数ＦＬＴ−Ｂによる処理を示す図である。
【図３３】スライス方向再構成フィルタ関数ＦＬＴ−Ａによる処理を示す図である。
【図３４】スライス方向再構成フィルタ関数ＦＬＴ−Ｂによる処理とスライス位置を示す図である。
【図３５】従来例の概略の構成を示すブロック図である。
【図３６】シングルスライスＣＴとダブルスライスＣＴとマルチスライスＣＴを示す概略的な図である。
【図３７】図１に示した〜の内部構成を示した回路図である。
【図３８】ＦＣＤ，ＦＯＶ，ＦＤＤを説明するための図である。
【図３９】縦軸に回転位相、横軸にＺ軸（体軸）方向を記すことによりヘリカルスキャンを示した図（スキャン図）である。
【図４０】３６０度補間法と対向ビーム補間法を説明するための図である。
【図４１】スライスプロファイルを示す図である。
【図４２】再構成関数を示す図である。
【図４３】再構成関数（ＦＣ１，ＦＣ５）の特性を示す図である。
【符号の説明】
【０１７７】
１  Ｘ線ＣＴ装置
３  システム制御部
５  架台、寝台制御部
５ａ  回転架台
５ｂ  コリメータ
５ｃ  寝台
７  Ｘ線制御器
９  高電圧発生器
１１  Ｘ線ビーム発生源
１３  検出器
１５  切換え部
１７  データ収集部
１９  再構成処理部
２１  表示装置
２３  スライス方向再構成フィルタ関数処理部
２５  スライス方向再構成フィルタ関数記憶部
２７  再構成関数処理部
２９  再構成関数記憶部
３１  画像再構成部
３３  制御部
３５  スライス方向再構成フィルタ関数選択部
【図１】
2008253802.tif 000006
【図２】
2008253802.tif 000007
【図３】
2008253802.tif 000008
【図４】
2008253802.tif 000009
【図５】
2008253802.tif 000010
【図６】
2008253802.tif 000011
【図７】
2008253802.tif 000012
【図８】
2008253802.tif 000013
【図９】
2008253802.tif 000014
【図１０】
2008253802.tif 000015
【図１１】
2008253802.tif 000016
【図１２】
2008253802.tif 000017
【図１３】
2008253802.tif 000018
【図１４】
2008253802.tif 000019
【図１５】
2008253802.tif 000020
【図１６】
2008253802.tif 000021
【図１７】
2008253802.tif 000022
【図１８】
2008253802.tif 000023
【図１９】
2008253802.tif 000024
【図２０】
2008253802.tif 000025
【図２１】
2008253802.tif 000026
【図２２】
2008253802.tif 000027
【図２３】
2008253802.tif 000028
【図２４】
2008253802.tif 000029
【図２５】
2008253802.tif 000030
【図２６】
2008253802.tif 000031
【図２７】
2008253802.tif 000032
【図２８】
2008253802.tif 000033
【図２９】
2008253802.tif 000034
【図３０】
2008253802.tif 000035
【図３１】
2008253802.tif 000036
【図３２】
2008253802.tif 000037
【図３３】
2008253802.tif 000038
【図３４】
2008253802.tif 000039
【図３５】
2008253802.tif 000040
【図３６】
2008253802.tif 000041
【図３７】
2008253802.tif 000042
【図３８】
2008253802.tif 000043
【図３９】
2008253802.tif 000044
【図４０】
2008253802.tif 000045
【図４１】
2008253802.tif 000046
【図４２】
2008253802.tif 000047
【図４３】
2008253802.tif 000048